(57)【要約】  ユーザの経皮電気神経刺激のための装置であって：電気パルスを用いて少なくとも１つの神経を電気的に刺激する刺激ユニット；前記刺激ユニットに対して接続可能な電極部品であって、検出ユニット、記憶ユニット、および通信ユニットを備えた、電極部品；前記刺激ユニットと前記通信ユニットに接続され、前記電極部品からの情報に基づき前記刺激ユニットの動作を制御するように構成されている、制御ユニット；を備える。【選択図】図２
2020503105.tif 000002
【特許請求の範囲】
【請求項１】
ユーザの経皮電気神経刺激のための装置であって、
電気パルスを用いて少なくとも１つの神経を電気的に刺激する刺激ユニット、
前記刺激ユニットに対して接続可能な電極部品であって、検出ユニット、記憶ユニット、および通信ユニットを備えた、電極部品、
前記刺激ユニットと前記通信ユニットに接続され、前記電極部品からの情報に基づき前記刺激ユニットの動作を制御するように構成されている、制御ユニット、
を備えることを特徴とする装置。
【請求項２】
前記検出ユニットは、
温度センサ、水分センサ、加速度計、ガルバニック皮膚反応センサ、化学物質センサ
を含むグループのうち少なくとも１つを備える
ことを特徴とする請求項１記載の装置。
【請求項３】
前記記憶ユニットは、不揮発性メモリ回路を備える
ことを特徴とする請求項１記載の装置。
【請求項４】
前記不揮発性メモリ回路は、フラッシュメモリである
ことを特徴とする請求項３記載の装置。
【請求項５】
前記記憶ユニットは、無線アクセス可能回路を備える
ことを特徴とする請求項１記載の装置。
【請求項６】
前記無線アクセス可能回路は、無線周波数ＩＤチップである
ことを特徴とする請求項５記載の装置。
【請求項７】
前記記憶ユニットは、前記電極部品の製造状態に関するデータを格納する
ことを特徴とする請求項１記載の装置。
【請求項８】
前記製造状態に関するデータは、
電極材料、電極サイズ、刺激ユニットのタイプに対する互換性、使用可能寿命
を含むグループのうち少なくとも１つに関するデータを含む
ことを特徴とする請求項７記載の装置。
【請求項９】
前記記憶ユニットは、前記電極部品の使用状況に関するデータを格納する。
ことを特徴とする請求項１記載の装置。
【請求項１０】
前記使用状況は、前記電極部品が前記ユーザ上に対して配置されてからの蓄積時間である
ことを特徴とする請求項９記載の装置。
【請求項１１】
前記使用状況は、前記電極部品の初回使用からの経過時間である
ことを特徴とする請求項９記載の装置。
【請求項１２】
前記使用状況は、皮膚−電極インターフェースのインピーダンス値のリストである
ことを特徴とする請求項９記載の装置。
【請求項１３】
前記記憶ユニットは、前記検出ユニットの検出結果に関するデータを格納する
ことを特徴とする請求項１記載の装置。
【請求項１４】
前記データは、所与の時点における前記検出結果を含む
ことを特徴とする請求項１３記載の装置。
【請求項１５】
前記データは、時間経過にともなう検出結果の履歴を含む
ことを特徴とする請求項１３記載の装置。
【請求項１６】
前記検出結果は、
肌温度、周辺温度、肌水分、周辺温度、汗ｐＨレベル、肌振動
を含むグループのうち少なくとも１つを含む
ことを特徴とする請求項１３記載の装置。
【請求項１７】
前記通信ユニットは、無線通信リンクである
ことを特徴とする請求項１記載の装置。
【請求項１８】
前記無線通信リンクは、１−Ｗｉｒｅ通信である
ことを特徴とする請求項１７記載の装置。
【請求項１９】
前記通信ユニットは、無線通信リンクである
ことを特徴とする請求項１記載の装置。
【請求項２０】
前記通信ユニットは、無線周波数ＩＤリンクである
ことを特徴とする請求項１９記載の装置。
【請求項２１】
前記制御ユニットの動作は、前記電極部品を介して刺激を供給することを可能にする
ことを特徴とする請求項１記載の装置。
【請求項２２】
前記制御ユニットの動作は、前記電極部品を介して刺激を供給することを不能にする
ことを特徴とする請求項１記載の装置。
【請求項２３】
前記制御ユニットの動作は、任意の電極部品に対する刺激を不能にする
ことを特徴とする請求項１記載の装置。
【請求項２４】
前記制御ユニットの動作は、
刺激パルス振幅、刺激パルス幅、刺激パルス周波数、治療セッション期間、治療セッション開始
を含むグループのうち少なくとも１つの刺激特性を変更する
ことを特徴とする請求項１記載の装置。
【請求項２５】
前記制御ユニットは出力を提供し、
前記制御ユニットの出力は、前記ユーザに対して通知される
ことを特徴とする請求項１記載の装置。
【請求項２６】
前記出力は、使用している前記電極部品の品質についての記述である
ことを特徴とする請求項２５記載の装置。
【請求項２７】
前記出力は、電極部品交換前の予測残時間である
ことを特徴とする請求項２５記載の装置。
【請求項２８】
前記出力は、前記ユーザが用いることを推奨する電極部品のタイプである
ことを特徴とする請求項２５記載の装置。
【請求項２９】
ユーザの経皮電気神経刺激のための装置であって、
電気パルスを用いて少なくとも１つの神経を電気的に刺激する刺激ユニット、
前記刺激ユニットに対して接続可能な電極部品であって、検出ユニットと通信ユニットを備えた、電極部品、
前記ユーザの睡眠特性を分析するように構成された睡眠判定ユニット、
前記刺激ユニット、前記通信ユニット、および前記睡眠判定ユニットに接続され、前記前記刺激ユニットの動作を制御するように構成されている、制御ユニット、
を備えることを特徴とする装置。
【請求項３０】
前記睡眠判定ユニットは、少なくとも１つの電気化学センサからの出力を用いて、その機能を実施する
ことを特徴とする請求項２９記載の装置。
【請求項３１】
前記少なくとも１つの電気化学センサは、加速度計を備える
ことを特徴とする請求項３０記載の装置。
【請求項３２】
前記検出ユニットは、
温度センサ、ガルバニック皮膚反応センサ、化学物質センサ
を含むグループのうち少なくとも１つを備える
ことを特徴とする請求項２９記載の装置。
【請求項３３】
前記制御ユニットは、前記検出ユニットからの検出結果を用いて、前記睡眠判定ユニットからの睡眠判定結果を精緻化して、前記刺激ユニットの動作を制御する
ことを特徴とする請求項２９記載の装置。
【請求項３４】
前記制御ユニットの動作は、
刺激パルス振幅、刺激パルス幅、刺激パルス周波数、治療セッション期間、治療セッション開始
を含むグループのうち少なくとも１つの刺激特性を変更する
ことを特徴とする請求項２９記載の装置。
【請求項３５】
前記制御ユニットは出力を提供し、
前記制御ユニットの出力は前記ユーザに対して通知される
ことを特徴とする請求項２９記載の装置。
【請求項３６】
前記出力は、前記ユーザの睡眠品質についての記述である
ことを特徴とする請求項３５記載の装置。
【請求項３７】
ユーザの経皮電気神経刺激のための方法であって、
前記ユーザの身体に対して電極部品を取り付けるステップ、
前記電極部品に対して刺激ユニットを接続するステップ、
前記電極部品と前記ユーザのうち少なくともいずれかの少なくとも１つの特性を測定するステップ、
前記少なくとも１つの測定した特性に基づき刺激パラメータを決定するステップ、
前記刺激パラメータを用いて少なくとも１つの神経を刺激するステップ、
を有することを特徴とする方法。
【請求項３８】
前記電極部品は、検出ユニット、記憶ユニット、通信ユニットを備える
ことを特徴とする請求項３７記載の方法。
【請求項３９】
前記検出ユニットは、
温度センサ、水分センサ、加速度計、ガルバニック皮膚反応センサ、化学物質センサ
を含むグループのうち少なくとも１つを備える
ことを特徴とする請求項３８記載の方法。
【請求項４０】
前記記憶ユニットは、不揮発性メモリ回路を備える
ことを特徴とする請求項３８記載の方法。
【請求項４１】
前記記憶ユニットは、前記電極部品の製造状態に関するデータを格納する
ことを特徴とする請求項３８記載の方法。
【請求項４２】
前記記憶ユニットは、前記電極部品の使用状況に関するデータを格納する
ことを特徴とする請求項３８記載の方法。
【請求項４３】
前記記憶ユニットは、前記検出ユニットの検出結果に関するデータを格納する
ことを特徴とする請求項３８記載の方法。
【請求項４４】
前記少なくとも１つの測定した特性は、
肌温度、周辺温度、肌水分、周辺温度、汗ｐＨレベル、肌振動
を含むグループのうち少なくとも１つを含む
ことを特徴とする請求項３７記載の方法。
【請求項４５】
前記刺激パラメータを決定するステップは、前記電極部品を介して刺激を供給することを可能にする
ことを特徴とする請求項３７記載の方法。
【請求項４６】
前記刺激パラメータを決定するステップは、前記電極部品を介して刺激を供給することを不能にする
ことを特徴とする請求項３７記載の方法。
【請求項４７】
前記刺激パラメータを決定するステップは、任意の電極部品に対する刺激を不能にする
ことを特徴とする請求項３７記載の方法。
【請求項４８】
前記刺激パラメータを決定するステップは、
刺激パルス振幅、刺激パルス幅、刺激パルス周波数、治療セッション期間、治療セッション開始
を含むグループのうち少なくとも１つの刺激特性を変更する
ことを特徴とする請求項３７記載の方法。
【請求項４９】
ユーザの経皮電気神経刺激のための方法であって、
前記ユーザの身体に対して電極部品を取り付けるステップ、
前記電極部品に対して刺激ユニットを接続するステップ、
前記電極部品と前記ユーザのうち少なくともいずれかの少なくとも１つの特性を測定するステップ、
前記電極部品の状態を前記ユーザに対して送信するステップ、
を有することを特徴とする方法。
【請求項５０】
前記状態は、使用している前記電極部品の品質である
ことを特徴とする請求項４９記載の方法。
【請求項５１】
前記状態は、電極交換前の予測残時間である
ことを特徴とする請求項４９記載の方法。
【請求項５２】
前記状態は、前記ユーザが使用することを推奨する電極タイプを含む
ことを特徴とする請求項４９記載の方法。
【請求項５３】
ユーザの経皮電気神経刺激のための方法であって、
前記ユーザの身体に対して電極部品を取り付けるステップ、
前記電極部品に対して刺激ユニットを接続するステップ、
前記ユーザの少なくとも１つの特性を測定して前記ユーザの睡眠特性を判定するステップ、
前記判定した前記ユーザの睡眠特性に基づき刺激パラメータを決定するステップ、
前記刺激パラメータを用いて少なくとも１つの神経を刺激するステップ、
を有することを特徴とする方法。
【請求項５４】
前記ユーザの少なくとも１つの特性を測定するステップは、
電気機械センサ、温度センサ、ガルバニック皮膚反応センサ、化学物質センサ
を含むグループのうち少なくとも１つに基づいている
ことを特徴とする請求項５３記載の方法。
【請求項５５】
前記刺激パラメータは、
刺激パルス振幅、刺激パルス幅、刺激パルス周波数、治療セッション期間、治療セッション開始
を含むグループのうち少なくとも１つの刺激特性を含む
ことを特徴とする請求項５３記載の方法。
【発明の詳細な説明】
【技術分野】
【０００１】
＜出願中の先行特許出願への参照＞
本特許出願は、Ｎｅｕｒｏｍｅｔｒｉｘ，Ｉｎｃ．によるＳｈａｉ  Ｎ．Ｇｏｚａｎｉ等の２０１６年１２月２３日出願の先行出願である米国仮出願６２／４３８，９１４号「SMART ELECTRODE FOR TRANSCUTANEOUS ELECTRICAL NERVE STIMULATION」（代理人整理番号NEURO-85 PROV）の優先権を主張する。同出願は参照により本願に組み込まれる。
【０００２】
本発明は一般に、電極を介してユーザの無傷の皮膚を交差して電流を供給し、痛みの症状緩和を提供する、経皮電気神経刺激（ＴＥＮＳ）デバイスに関する。より具体的には、本発明は、ＴＥＮＳ治療において用いる電極の利用管理および痛み緩和治療を提供する刺激制御のための装置および方法に関する。
【背景技術】
【０００３】
経皮電気神経刺激（ＴＥＮＳ）は、ユーザの皮膚の無傷の表面を交差して電気（すなわち電気的刺激）を供給して、知覚神経線維を活性化するものである。ＴＥＮＳ治療の最も一般的な用途は、例えば慢性疼痛の緩和のための鎮痛を提供することである。ＴＥＮＳ治療のその他用途としては、下肢静止不能症候群の症状抑制、夜間筋痙攣の抑制、全身性掻痒の緩和、などが挙げられるが、これに限らない。電極が皮膚と接触して配置されると、電気刺激が生成され、電極−皮膚インターフェースを介して身体組織に対して供給される。
【０００４】
知覚神経刺激がどのように痛みを緩和するのかについての概念モデルは、１９６５年にＭｅｌｚａｃｋとＷａｌｌによって提案された。彼らの理論は、知覚神経（Ａβ線維）の活性化が脊髄の「痛覚ゲート」を閉じ、これにより侵害受容器（Ｃ線維とＡδ線維）が脳へ搬送する痛覚信号の伝搬を妨げることを提案している。過去２０年において、痛覚ゲートの基盤になっている解剖学的経路と分子メカニズムは、分かっていない。知覚神経刺激（例えばＴＥＮＳを介して）は、下行疼痛抑制システム（主に中脳に配置されている中脳水道周囲灰白質（ＰＡＧ）と骨髄（ＲＶＭ）および脳幹の髄質）を活性化する。ＰＡＧはＲＶＭに対して神経投射を有しており、これにより上昇痛覚信号伝搬を阻害する脊髄後角に対する両側面投影を拡散させる。
【０００５】
電極が皮膚と接触して配置されると電気刺激が生成され、電極−皮膚インターフェースを介して身体組織に対して供給される。ＴＥＮＳは通常、短時間の個別パルスによって供給され、各パルスは通常、数１００マイクロ秒の期間を有し、１０〜１５０Ｈｚの周波数を有し、ユーザの皮膚と直接接触して配置されるハイドロゲル電極パッドを介して供給される。
【０００６】
有効な刺激を可能とするため、良好な電極−皮膚インターフェース状態を維持する必要がある。多くの要因が、電極−皮膚インターフェース状態に影響し得る。これら要因としては、例えば皮膚の乾燥や皮膚の温度などの肌状態が挙げられる。電極が肌上に接している時間やＴＥＮＳ刺激時間と強度などの要因も、電極−皮膚インターフェース状態の悪化速度に対して影響し得る。電極−皮膚インターフェース状態が悪いと、神経に対して不適切な電気刺激を与え、これによりＴＥＮＳ治療の効果を損ねる可能性がある。
【０００７】
適切な電極−皮膚インターフェース状態を確実にするために、ＴＥＮＳユーザはＴＥＮＳ電極を固定時間間隔で交換する場合がある。固定時間間隔でＴＥＮＳ電極を交換するのは大多数のユーザにとって有用だが、皮膚状態が平均よりも乾燥しているユーザにとってまたはＴＥＮＳ電極を特定の期間においてあまり頻繁に使用しないユーザにとっては適切でない可能性がある。したがって、この制約を克服するスマートＴＥＮＳ電極部品に対するニーズがある。
【０００８】
またＴＥＮＳ治療は、慢性疼痛を緩和するために提供される。日中と夜間においてＴＥＮＳ治療を受けるのが有用なユーザもいる。慢性疼痛は睡眠を妨げることが知られており、夜間におけるＴＥＮＳ治療は痛みを緩和して睡眠への影響を最小にすることができる。固定ＴＥＮＳ治療投与（電気刺激の供与、時間、強度の観点）は、夜間を通して実施するのは適切ではない可能性がある。睡眠品質と睡眠パターンは毎夜異なるからである。したがって、各夜における実際の睡眠パターンに基づき、正確に睡眠をモニタリングしてＴＥＮＳ治療投与を調整する、スマートＴＥＮＳ電極部品に対するニーズがある。
【０００９】
さらに、ほとんどの慢性疼痛患者にとってＴＥＮＳ治療の利益を最大限享受するためには、強度は強いが心地よい間隔を呼び起こすレベルで、電気刺激強度をセットする必要があることが分かっている。ターゲット刺激強度レベルＩＴ（強いが心地よい間隔をもたらす）は、各ユーザにとって経時変化する。このターゲット刺激強度レベルの変化は、概日リズム（例：時刻または日付）やより長い期間的傾向（例：病状進行）や環境条件（例：天候）などに関連している。ターゲット刺激強度のマニュアル調整は、ユーザによっては不便または非実用的である。したがって、リアルタイムで刺激の効果を測定して自動的にＴＥＮＳ刺激強度を調整し、各ＴＥＮＳ治療セッションの効果を最大化することができる、スマートＴＥＮＳ電極部品を開発するニーズがある。
【００１０】
上記に加えて、最近の電子工学およびインテリジェントアルゴリズムは、ＴＥＮＳ治療設定をより正確かつ個別化できるようにした。ＴＥＮＳ電極における任意の変化（例：材料、サイズ、形状、などの観点）は、ユーザに対する電気刺激の供給に対して影響し得る。したがって、電極−皮膚インターフェースを介してユーザの身体に対して伝搬される電流に影響する、製造元、使用材料、サイズ、形状、その他特性を個別識別することができるスマートＴＥＮＳ電極部品に対するニーズがある。
【発明の概要】
【課題を解決するための手段】
【００１１】
本発明は、支持材料（すなわち基板）の層上に配置された１以上の導電ハイドロゲル電極パッドを備え、これによりスマート電極部品を形成する、新しいスマート電極部品を含む。各ハイドロゲル電極パッドは、コネクタを介してＴＥＮＳ刺激器に対して電気的に接続されている。統合回路（ＩＣ）部品は、前記指示材料（すなわち基板）の各（または両）側面に配置されており、前記支持基板は前記導電ハイドロゲル電極パッドを支持する。様々なタイプのセンサ（例：熱センサ、化学物質センサ、水分センサ、力センサ、加速度計、ジャイロスコープ、など）が、前記導電ハイドロゲル電極パッドを支持する前記指示材料の各（または両）側面に配置されている。前記センサからのデータは、前記ＴＥＮＳ刺激器に対して直接送信され、またはＩＣ部品（前記支持材料が支持する）に格納されてから後に前記ＴＥＮＳ刺激器へ送信される。前記ＩＣ部品は、前記スマート電極部品の様々な物理的（例：サイズ、形状、材料組成、など）および時間的（例：製造日、使用期間、など）側面の特徴を記述した情報を格納する。前記ＩＣ部品が格納しているその他情報は、規制要件に準拠するため、意図されている使用領域または使用国（例：米国、欧州共同体、中国、など）を格納することもできる。前記ＩＣ部品が格納している情報は、ＴＥＮＳ刺激器に対して送信される。ＴＥＮＳ刺激器は、１以上の上記ソースからの情報を統合し、その情報を用いて刺激設定を変更し、前記センサの挙動を変更し、および／または前記ＩＣ部品のメモリ内容を更新する。前記ＴＥＮＳ刺激器は、前記オンボードセンサと前記ＩＣ部品以外のソースからの情報を用いて、刺激パラメータを変更することもできる。例えば前記ＴＥＮＳ刺激器は、ユーザフィードバック、外部情報ソース（天気ステーション予測など）などを用いて、刺激パラメータを変更することもできる。
【００１２】
前記ＴＥＮＳ刺激器を、前記スマート電極部品の支持材料（すなわち基板）の層上に永続的または着脱可能に取り付け、あるいは、前記スマート電極部品の前記支持材料（すなわち基板）の層を、前記ＴＥＮＳ刺激器に対して永続的または着脱可能に取り付けることができる。前記ＴＥＮＳ刺激器と前記スマート電極部品が互いに取り付けられる態様によらず、前記ＴＥＮＳ刺激器は前記スマート電極部品の前記１以上の導電ハイドロゲル電極パッドに対して電気的に接続されている。また前記ＴＥＮＳ刺激器は、読み書き機能により、前記スマート電極部品の支持材料（すなわち基板）の層に取り付けられた部品（例：前記ＩＣ部品、前記センサ、など）と通信するように構成されている。通信は、暗号化または非暗号化で実施することができる。
【００１３】
本発明の望ましい１形態において、ユーザの経皮電気神経刺激のための装置を提供する。前記装置は：
電気パルスを用いて少なくとも１つの神経を電気的に刺激する刺激ユニット；
前記刺激ユニットに対して接続可能な電極部品であって、検出ユニット、記憶ユニット、および通信ユニットを備えた、電極部品；
前記刺激ユニットと前記通信ユニットに接続され、前記電極部品からの情報に基づき前記刺激ユニットの動作を制御するように構成されている、制御ユニット；
を備える。
【００１４】
本発明の望ましい別形態において、ユーザの経皮電気神経刺激のための装置を提供する。前記装置は：
電気パルスを用いて少なくとも１つの神経を電気的に刺激する刺激ユニット；
前記刺激ユニットに対して接続可能な電極部品であって、検出ユニットと通信ユニットを備えた、電極部品；
前記ユーザの睡眠特性を分析するように構成された睡眠判定ユニット；
前記刺激ユニット、前記通信ユニット、および前記睡眠判定ユニットに接続され、前記前記刺激ユニットの動作を制御するように構成されている、制御ユニット；
を備える。
【００１５】
本発明の望ましい別形態において、ユーザの経皮電気神経刺激のための方法を提供する。前記方法は：
前記ユーザの身体に対して電極部品を取り付けるステップ；
前記電極部品に対して刺激ユニットを接続するステップ；
前記電極部品と前記ユーザのうち少なくともいずれかの少なくとも１つの特性を測定するステップ；
前記少なくとも１つの測定した特性に基づき刺激パラメータを決定するステップ；
前記刺激パラメータを用いて少なくとも１つの神経を刺激するステップ；
を有する。
【００１６】
本発明の望ましい別形態において、ユーザの経皮電気神経刺激のための方法を提供する。前記方法は：
前記ユーザの身体に対して電極部品を取り付けるステップ；
前記電極部品に対して刺激ユニットを接続するステップ；
前記電極部品と前記ユーザのうち少なくともいずれかの少なくとも１つの特性を測定するステップ；
前記電極部品の状態を前記ユーザに対して送信するステップ；
を有する。
【００１７】
本発明の望ましい別形態において、ユーザの経皮電気神経刺激のための方法を提供する。前記方法は：
前記ユーザの身体に対して電極部品を取り付けるステップ；
前記電極部品に対して刺激ユニットを接続するステップ；
前記ユーザの少なくとも１つの特性を測定して前記ユーザの睡眠特性を判定するステップ；
前記判定した前記ユーザの睡眠特性に基づき刺激パラメータを決定するステップ；
前記刺激パラメータを用いて少なくとも１つの神経を刺激するステップ；
を有する。
【図面の簡単な説明】
【００１８】
本発明のこれらおよびその他の目的と特徴は、以下に説明する本発明の望ましい実施形態の詳細説明によって完全に開示されまたは明らかになる。これらは添付する図面とともに考慮され、図面において同様の番号は同様の部品を指している。
【図１】本発明にしたがって形成された新しいスマート電極部品を備える新しいＴＥＮＳデバイスを示す概略図である。新規ＴＥＮＳデバイスは、ユーザのふくらはぎ上部に取り付けられている。
【図２】図１の新規スマート電極部品を備える新規ＴＥＮＳデバイスを詳細に示す概略図である。
【図３】図１と図２の新規スマート電極部品を詳細に示す概略図である。
【図４】図１〜図３の新規ＴＥＮＳデバイスのＴＥＮＳ刺激器と電極−皮膚インターフェースを示す概略図である。
【図５】図１〜図４の新規ＴＥＮＳデバイスのＴＥＮＳ刺激器が生成した電気刺激パルス列の例を示す概略図である。
【図６】図１〜図５に示すＴＥＮＳデバイスの皮膚上検出システムとともに、ＴＥＮＳデバイスがユーザの皮膚を着脱するときにおける等価回路を示す概略図である。
【図７】データ記憶部およびスマート電極部品とＴＥＮＳ刺激器との間の通信リンクを示す概略図である。
【発明を実施するための形態】
【００１９】
＜ＴＥＮＳデバイス一般＞
本発明は、ユーザのふくらはぎ上部（またはその他の解剖学的位置）に配置するように設計されたＴＥＮＳ刺激器、および、ユーザのふくらはぎ上部（またはその他の解剖学的位置）に配置された少なくとも１つの神経に対してＴＥＮＳ刺激器からの電気刺激を印加するように設計されたスマート電極部品、を備える新規ＴＥＮＳデバイスを提供することおよびその使用方法を含む。本発明の主要特徴は、スマート電極部品が、肌温度、肌状態（例：乾燥）、電極皮膚接触時間、電極使用期間、電極−皮膚インピーダンス、などの要因を測定およびトラッキングすることである。これら要因は、スマート電極部品のハイドロゲル電極パッドの材料組成や形状などの製造仕様とともに、ユーザに対してＴＥＮＳ治療の刺激電流を供給するスマート電極部品の品質と寿命に対して影響し得る。
【００２０】
より具体的には、図１を参照して、本発明にしたがって形成された新規ＴＥＮＳデバイス１００は、ＴＥＮＳ刺激器１０５、ストラップ１１０、スマート電極部品１２０を備える。新規ＴＥＮＳデバイス１００は、ユーザのふくらはぎ上部１２１に装着されている。スマート電極部品１２０は、ＴＥＮＳ刺激器１０５とストラップ１１０の裏面に配置されており、これによりスマート電極部品はＴＥＮＳ刺激器とストラップの「下側」となる。ユーザはＴＥＮＳデバイス１００を片足または両足に装着し（１つずつまたは同時に）、あるいはユーザはＴＥＮＳデバイス１００を、片足（または両足）に装着したＴＥＮＳデバイス１００から離れた身体のその他領域に装着しまたはこれに加えて装着する。
【００２１】
図２を参照する。ＴＥＮＳデバイス１００を詳細に示す。ＴＥＮＳデバイス１００は、前述の３つの部品：刺激器１０５、ストラップ１１０、スマート電極部品１２０（以下に説明するように、ＴＥＮＳ刺激器１０５に対して適切に電気的接続された、少なくとも１つのカソード電極と少なくとも１つのアノード電極を備える）を備える。図２に示すように、ＴＥＮＳ刺激器１０５は、３つの機械的および電気的に相互接続された区画１０１、１０２、１０３を備える。区画１０１、１０２、１０３は、ヒンジ機構１０４（図２においてそのうち１つのみが見えている）によって相互接続されており、これによりＴＥＮＳデバイス１００は、ユーザの足の曲線形状に適合することができる。本発明の望ましい実施形態において、区画１０２はＴＥＮＳ刺激回路（バッテリを除く）とユーザインターフェース素子１０６、１０８を収容している。
【００２２】
本発明の望ましい１実施形態において、区画１０１と１０３は、ＴＥＮＳ刺激回路およびその他回路に対して電力供給するバッテリと、その他補助素子とを収容する小型予備区画である。例えば当該分野において知られている、ＴＥＮＳデバイス１００が他の素子（例：図２のハンドヘルド電子デバイス８６０、例えばスマートフォン）と無線通信できるようにする無線インターフェースユニット（図示せず）を収容する。
【００２３】
本発明の別形態において、１または２つの区画のみを用いて、本発明のＴＥＮＳ刺激回路、バッテリ、その他補助素子を収容してもよい。
【００２４】
本発明の別形態において、より多くの区画を用いてもよい。これによりＴＥＮＳデバイス１００は例えば、身体に対してより適合し、ユーザの快適性を向上できる。
【００２５】
本発明の別形態において、フレキシブル回路基板を用いて、ＴＥＮＳ刺激回路とその他回路をユーザの足周りにより均一に取り付け、これによりデバイスの厚さを減らしてもよい。
【００２６】
図２を続いて参照する。インターフェース素子１０６は、ＴＥＮＳデバイス１００による電気刺激をユーザが制御するためのプッシュボタンを備え、インターフェース素子１０８は、刺激状態を示しユーザに対してその他フィードバックを与えるためのＬＥＤを備える。図２は単一のＬＥＤを示しているが、インターフェース素子１０８は異なる色の複数のＬＥＤを備えてもよい。当該分野において良く知られている無線インターフェースユニット（図示せず）が区画１０２内に組み込まれ、これによりＴＥＮＳデバイス１００は、ユーザインターフェースの別形態として、他素子（例：スマートフォンなどのハンドヘルド電子デバイス８６０）と無線通信できる。別のユーザインターフェース素子（例：ＬＣＤディスプレイ、ビープや音声出力を介した音声フィードバック、振動素子などの触覚デバイス、など）を組み込むことも、本発明の範囲とみなされる。
【００２７】
本発明の望ましい１実施形態において、ＴＥＮＳデバイス１００は図１に示すように、ユーザのふくらはぎ上部１２１に装着するように構成されている。ただしＴＥＮＳデバイス１００はその他の解剖学的位置に装着することもでき、あるいは複数のＴＥＮＳデバイス１００を様々な解剖学的位置に装着してもよいことを理解されたい。ＴＥＮＳデバイス１００（上記ＴＥＮＳ刺激器１０５、ストラップ１１０、スマート電極部品１２０を備える）は、装置をふくらはぎ上部（またはその他解剖学的位置）に対して配置した後にストラップ１１０を締めることにより、ユーザのふくらはぎ上部１２１（またはその他解剖学的位置）に固定される。より具体的には、本発明の望ましい１実施形態において、スマート電極部品１２０は、ユーザの足上（またはその他解剖学的位置）におけるＴＥＮＳデバイス１００の回転位置によらず、ユーザの適切な生体構造に対して適切な電気刺激を供給するように、サイズと構成を設計されている。
【００２８】
図３は、スマート電極部品１２０の望ましい１実施形態の概略図を示す。スマート電極部品１２０は、支持材料１２４の層を備える。支持材料１２４は、フレキシブル非導電構造であり、スマート電極部品１２０のその他部品を支持する基板として動作する。支持材料１２４（すなわち基板）は、例えばＭｙｌａｒ（登録商標）のシートを備えるが、これに限るものではない。
【００２９】
スマート電極部品１２０は、支持材料１２４上に取り付けられた複数のハイドロゲル電極パッドを備える。少なくとも１つのハイドロゲル電極パッドはＴＥＮＳ刺激器１０５のカソード電極として動作し、少なくとも１つのハイドロゲル電極パッドはＴＥＮＳ刺激器１０５のアノード電極として動作する。本発明の望ましい１形態において、４つの個別電極１５２、１５４、１５６、１５８はそれぞれハイドロゲル電極パッドを備え、これらはそれぞれ同じもしくは同様のサイズを有する（すなわち、同じもしくは同様の表面積を有する）。
【００３０】
電極１５２、１５４、１５６、１５８はペア接続され、これにより電極１５４と１５６（ＴＥＮＳデバイス１００のカソード電極を表す）は互いに電気的接続され（例：コネクタ１５５を介して）、電極１５２と１５８（ＴＥＮＳデバイス１００のアノード電極を表す）は互いに電気的接続される（例：コネクタ１５７を介して）。電極１５２、１５４、１５６、１５８は適切なサイズを有し、ペア接続され、これによりユーザの足上（またはその他解剖学的位置）におけるＴＥＮＳデバイス１００の回転位置によらず（したがってスマート電極部品１２０の回転位置によらず）、適切に皮膚をカバーすることを理解されたい。
【００３１】
スマート電極部品１２０は、支持材料１２４（すなわち基板）に取り付けられた検出ユニット１３０を備える。検出ユニット１３０は、温度、水分、ガルバニック皮膚反応、化学物質モニタリングなどを検出する１以上のセンサを備える。
【００３２】
スマート電極部品１２０は、支持材料（すなわち基板）１２４に取り付けられたデジタルユニット１４０を備える。デジタルユニット１４０は、検出ユニット１３０からのデータを格納する１以上のＩＣ部品を備える。デジタルユニット１４０のＩＣ部品は、スマート電極部品１２０の特性を特定する情報を格納する。例えばゲルパッド材料タイプと形状サイズ、製造日、電極識別番号、などの特性である。
【００３３】
またスマート電極部品１２０は、検出ユニット１３０とデジタルユニット１４０内のデータをＴＥＮＳ刺激器１０５に対して送信可能にする（必要であれば、ＴＥＮＳ刺激器１０５が命令、新データ、などを検出ユニット１３０および／またはデジタルユニット１４０に対して送信可能にする）電子部品を有する通信ユニット１３５を備える。
【００３４】
本発明の望ましい１形態において、検出ユニット１３０は通信リンク１４６を介して通信ユニット１３５と通信し、デジタルユニット１４０は通信リンク１４５を介して通信ユニット１３５と通信する。検出ユニット１３０とデジタルユニット１４０との間の通信は、通信リンク１４７を介して実施できる。
【００３５】
通信リンク１４５、１４６、１４７は図３においてライン接続として示しているが、接続されている部品間の実際の通信リンクは必要であれば無線であってもよい。
【００３６】
デジタルユニット１４０はオプションとして、パワーソース１４９（例えばボタンバッテリ）を備え、これにより、スマート電極部品１２０がＴＥＮＳ刺激器１０５と接続されていないときデジタルユニット１４０と検出ユニット１３０を動作可能とする。
【００３７】
図３に示す望ましい実施形態において、検出ユニット１３０とデジタルユニット１４０は、１以上のハイドロゲル電極パッド（すなわち電極）１５２、１５４、１５６、１５８と同様に、支持材料（すなわち基板）１２４の同じ側に配置されている。ただし検出ユニット１３０とデジタルユニット１４０は、必要であれば支持材料１２４の対向面に配置できることを理解されたい。通信ユニット１３５は、ＴＥＮＳ刺激器１０５と接続することができるその他素子と同様に支持材料１２４の同じ側に配置することができる。
【００３８】
本発明の望ましい形態において、電極１５２、１５４、１５６、１５８はインターリーブ接続されていないが、２つの内側電極１５４と１５６が相互接続され、２つの外側電極１５２と１５８が相互接続されていることを理解されたい。この電極接続パターンにより、２つの外側電極１５１と１５８が誤って接触した場合、カソードからアノードへ直接流れる刺激電流の短絡は生じない（すなわち、電極接続パターンにより、治療ＴＥＮＳ電流は常にユーザの組織に対して向けられる）。
【００３９】
電流（すなわち組織に対する治療電気刺激）は、コネクタ１６０と１６２（図３）によって、電極ペア１５４、１５６と１５２、１５８に対して供給される。コネクタ１６０と１６２は、ＴＥＮＳ刺激器１０５上で補助コネクタ２１０、２１２（図４）とそれぞれ嵌合する。ＴＥＮＳ刺激器１０５は電流を生成し、電流はコネクタ１６０、１６２を介して電極１５４、１５６と電極１５２、１５８を通過する。
【００４０】
本発明の望ましい１実施形態において、電極１５２、１５４、１５６、１５８の皮膚接触導電材料は、電極１５２、１５４、１５６、１５８に対して「組み込まれた」ハイドロゲル材料である。換言すると本発明の望ましい１形態において、電極１５２、１５４、１５６、１５８はそれぞれ、ハイドロゲル電極パッドを備える。電極におけるハイドロゲル材料の機能は、電極１５２、１５４、１５６、１５８とユーザの皮膚との間のインターフェースとして作用することである（すなわち、刺激を与える知覚神経が存在している、ユーザの身体の部分の内部、隣、または近傍）。例えば乾燥電極や非接触刺激電極などのようなその他タイプの電極も、本発明の範囲内に含まれる。
【００４１】
図４は、ＴＥＮＳデバイス１００とユーザとの間の電流の概略図である。図４が概略的に示すように、定電流源４１０からの刺激電流４１５は、アノード電極４２０（アノード電極４２０は上記電極１５２と１５８を含む）を介してユーザの組織４３０（例：ユーザのふくらはぎ上部）に対して流れ込む。アノード電極４２０は、導電支持部４４２（例：銀ハッチ）とハイドロゲル４４４を備え、導電支持部とハイドロゲルは支持材料（すなわち基板）１２４上に配置されている。換言すると、電極１５２と１５８はそれぞれ、支持材料（すなわち基板）１２４上に配置されたハイドロゲル電極パッドを備える。電流はユーザの組織４３０を通過し、カソード電極４３２（カソード電極４３２は上記電極１５４と１５６を含む）を介して定電流源４１０に戻る。カソード電極４３２は、導電支持部４４２とハイドロゲル４４４を備え、導電支持部とハイドロゲルは支持材料（すなわち基板）１２４上に配置されている。換言すると、電極１５４と１５６はそれぞれ、支持材料（すなわち基板）１２４上に配置されたハイドロゲル電極パッドを備える。定電流源４１０は、ＴＥＮＳ治療の分野においてよく知られている適切な２相波形（すなわち２相刺激パルス）を提供する。この点について、「アノード」「カソード」電極の割り当ては、２相波形の意味において形式的なものであることを理解されたい（すなわち、２相ＴＥＮＳ刺激の第２フェーズにおいて２相刺激パルスが極性反転すると、電流はユーザの身体に対して「カソード」電極４３２を介して流れ込み、「アノード」電極４２０を介してユーザの身体から出て行く）。
【００４２】
図５は、ＴＥＮＳ治療セッション４８２においてＴＥＮＳ刺激器１０５が提供するパルス列４８０、および２つの個々の２相パルスの波形４９０を示す概略図である。各２相パルスは、第１フェーズ４９１と第２フェーズ４９２を有する。本発明の１形態において、各パルス波形は２相パルスの２つのフェーズ４９１と４９２の間で電荷がバランスしており、これによりスマート電極部品１２０の電極下方でイオン導入が生じることを防ぐ。これは皮膚炎症や皮膚ダメージにつながるものである。本発明の別形態において、各パルスは２相パルスの２つのフェーズ間でバランスしていないが、複数の連続２相パルス間では電荷をバランスさせている。固定またはランダム変化周波数のパルスを、治療セッション４８２を通じて供給する。刺激強度（すなわちＴＥＮＳ刺激器１０５が供給する電流の振幅４９３）は、ユーザ入力に応じて、慣れ補償のために調整される。これについては以下詳述する。
【００４３】
昼夜にわたってユーザに対して常時快適かつ効果的な痛み緩和を提供するためには、固定ＴＥＮＳ刺激レベルを供給するのは適切ではない。概日リズムその他経時変化リズムの効果により、ＴＥＮＳ刺激の有用性が弱まるからである。ＴＥＮＳ刺激の効果に影響するパラメータとしては、以下が挙げられるがこれに限らない：刺激パルス振幅４９３とパルス幅４９４、パルス周波数４９５、治療セッション期間４８２。例えば振幅を大きくしてパルス長を長くすれば（すなわちパルスチャージ大）、ユーザに対する刺激は増え（すなわち刺激「投与」が増え）、治療セッションを短くすればユーザに対する刺激は減る（すなわち刺激「投与」が減る）が、これに限らない。臨床研究によれば、パルス電荷（すなわちパルス振幅とパルス幅）と治療セッション期間は、ユーザに対して供給する治療刺激（すなわち治療刺激「投与」）に対して最も影響が大きい。
【００４４】
図６を参照する。皮膚接触検出器２６５をＴＥＮＳデバイス１００に組み込んで、スマート電極部品が皮膚に接触している時間を判定できる。皮膚接触時間は、スマート電極部品が皮膚と接触している時間長として定義され、これにより治療刺激電流が電極を介してユーザに対して供給されるか否かが変わる。より具体的には、スイッチ２２０を閉じることにより、電圧源２０４からの２０ボルトの電圧が、ＴＥＮＳ刺激器１０５のアノード端子（コネクタ２１２）に対して印加される。ユーザがＴＥＮＳデバイスを装着すると、ユーザ組織４３０（アノード電極４２０とカソード電極４３２との間に配置されている）は閉回路を形成し、抵抗２０８と２０６が形成する分圧回路に対して電圧を印加する。より具体的には、ＴＥＮＳデバイス１００がユーザの皮膚上にあるとき、図６に示す等価回路２６０は実世界のシステムを表し、等価回路２６０において、アノード電圧Ｖａ（電圧源２０４からのもの）は分圧抵抗２０６と２０８を介して検出される。ＴＥＮＳデバイス１００がユーザの皮膚に固定されているとき、増幅器２０７から測定されるカソード電圧は非ゼロであり、アノード電圧（電圧源２０４からのもの）に近い。一方でＴＥＮＳデバイス１００がユーザの皮膚に固定されていないとき、等価回路２７０は実世界システムを表し、増幅器２０７からのカソード電圧はゼロである。
【００４５】
＜スマート電極部品とＴＥＮＳ刺激器との間の通信＞
図７を参照する。ＴＥＮＳ刺激器１０５は、制御ユニット１７１と刺激ユニット１７２を備える。制御ユニット１７１は、適切にプログラムされたマイクロプロセッサを備える。マイクロプロセッサは刺激ユニット１７１の動作を制御し、これによりＴＥＮＳ刺激器１０５がユーザに対して与える刺激電流をレギュレートする。制御ユニット１７１はＴＥＮＳデバイス１００の様々な部品と通信し、これにより適切なＴＥＮＳ治療をユーザに対して提供することを理解されたい。例えば制御ユニット１７１は、ユーザインターフェース素子１０６と１０８、ハンドヘルド電子デバイス８６０、皮膚接触検出器２６５などと通信する。
【００４６】
本発明にしたがって、以下に説明するように、制御ユニット１７１はスマート電極部品１２０の通信ユニット１３５と通信し、これにより制御ユニット１７１は検出ユニット１３０およびデジタルユニット１４０と通信することができる。
【００４７】
より具体的には、スマート電極部品１２０についての情報（例えば電極タイプと製造元）は、デジタルユニット１４０のデジタル記憶ユニット１４２上においてスマート電極部品１２０に格納される。デジタル記憶ユニット１４２は、例えばＲＯＭ（すなわち読取専用メモリ）などの不揮発性メモリ回路を備える。検出ユニット１３０からのデータ（例えば温度センサからのデータ）は、デジタルユニット１４０のデジタル記憶ユニット１４１上においてスマート電極部品１２０に格納される。デジタル記憶ユニット１４１は例えばフラッシュメモリを備える。使用データ（例えばスマート電極部品１２０の初回使用の「タイムスタンプ」）は、デジタルユニット１４０のデジタル記憶ユニット１４３上においてスマート電極部品１２０に格納される。デジタル記憶ユニット１４３は例えば、ＲＦＩＤ（無線周波数ＩＤ）タグと１−Ｗｉｒｅデバイスを備える。
【００４８】
デジタルユニット１４０が格納する情報は、通信ユニット１３５を介して、スマート電極部品１２０と制御ユニット１７１との間で送信される。より具体的には、本発明の望ましい１形態において、通信リンク１４５（例えばデジタルユニット１４０の特定のデジタル記憶ユニット１４１、１４２、１４３のために開発された業界標準通信プロトコルを実装したもの）は、共通インターフェース（またはバス）１４４を介してデジタル記憶ユニット１４１、１４２、１４３と通信し、通信リンク１４５は通信ユニット１３５と通信する。
【００４９】
これに加えておよび／またはこれに代えて、ＴＥＮＳ刺激器１０５の刺激ユニット１７２は、通信チャネル１４８を介して直接、デジタルユニット１４０のデジタル記憶ユニット１４３内の使用データを通信することができる。
【００５０】
検出ユニット１３０からの情報（スマート電極部品１２０に組み込まれている）は、通信リンク１４６と通信ユニット１３５を介して、制御ユニット１７１に対して直接送信される。これは例えば１−Ｗｉｒｅ通信プロトコルを介して実施される。例えばＲＦＩＤプロトコルなどの無線通信リンクを採用することもできる。検出ユニット１３０からの情報は、スマート電極部品１２０をＴＥＮＳ刺激器１０５に対して接続することなく、通信チャネル１４７を介して、デジタルユニット１４０のデジタル記憶ユニット１４１上においてスマート電極部品１２０上に格納することができる。これは特に、スマート電極部品が使用中ではないとき（すなわち、スマート電極部品がＴＥＮＳ刺激器１０５と接続されていないとき）記憶環境状態をモニタするスマート電極機能にとって有用である。電源１４９（例えばスマート電極部品１２０が備えるボタンバッテリ）を提供して、スマート電極部品がＴＥＮＳ刺激器１０５に接続されていないときスマート電極機能を可能にすることができる。
【００５１】
本発明の望ましい１形態において、スマート電極部品１２０は、暗号プロトコルを介してのみスマート電極部品と接続されたＴＥＮＳ刺激器１０５と通信するように設計されている。本発明の別形態において、検出ユニット１３０および／またはデジタルユニット１４０が保持している情報のサブセットは、非暗号化プロトコルによってＴＥＮＳ刺激器１０５へ送信することができる。本発明の別形態において、スマート電極部品１２０の検出ユニット１３０および／またはデジタルユニット１４０が保持している情報のサブセットは、任意の「リーダ」によって読み取ることができるが、暗号プロトコルを介してＴＥＮＳ刺激器１０５によってのみ変更することができる。
【００５２】
＜電極タイプに基づくＴＥＮＳ刺激制御＞
本発明の望ましい１形態において、共通の機械的電気的接続インターフェースを、ＴＥＮＳ刺激器１０５と一連のスマート電極部品１２０との間に配置し、各スマート電極部品は異なる特性を有する。本発明のこの形態において、ＴＥＮＳ刺激器１０５の制御ユニット１７１は、スマート電極部品に格納されている情報に基づき、ＴＥＮＳ刺激器１０５に接続されているスマート電極部品１２０のタイプを判定するように構成されている。
【００５３】
本発明の望ましい１形態において、スマート電極部品の電極タイプについての情報は、集積回路（ＩＣ）チップ（すなわちデジタルユニット１４０のデジタル記憶ユニット１４２）内にコード化されている。これは、１−Ｗｉｒｅ、Ｉ２Ｃ、ＲＦＩＤなどの通信プロトコルを介して、ＴＥＮＳ刺激器１０５が読み取ることができる。スマート電極部品を認識できない場合、またはスマート電極部品がサポートされているスマート電極部品セットに属していない場合、ＴＥＮＳ刺激器１０５は電極部品を、デフォルト特性を有する特殊タイプの電極部品として取り扱うことができる。
【００５４】
本発明の別形態において、ＴＥＮＳ刺激器１０５は、電極タイプが認識できないときユーザの電気刺激を終了することができる。
【００５５】
本発明の別形態において、ＴＥＮＳ刺激器１０５は、特定のスマート電極部品が接続されるまで機能停止することができる。
【００５６】
本発明の別形態において、電極タイプが認識できないとき、ＴＥＮＳ刺激器１０５は、ＴＥＮＳ刺激器が製造業者によってリセットされるまで機能停止することができる。
【００５７】
本発明の望ましい１形態において、電極アレイがＴＥＮＳ刺激器１０５によって認識されないとき、フィードバック（例えばＬＥＤ点滅）をユーザに対して提供する。
【００５８】
本発明の別形態において、ＴＥＮＳ刺激器１０５が電極部品を認識できないとき、ユーザにとって特定のＴＥＮＳ刺激器１０５の機能が利用不能となったことを除き、ユーザに対してフィードバックを提供しない。
【００５９】
電極タイプの１側面は、ハイドロゲル電極パッドのゲル特性である。例えば防汗ゲルは水分吸収が少なく、したがって湿気が多い天気において屋外活動で用いるのに適しているが、これに限らない。標準ゲルは多くの水分を含み、毎日の使用における連続した快適なインターフェースを提供する。ハイドロゲル電極パッド内のゲルの水分含有レベルに起因して、各タイプの電極は、ハイドロゲル電極パッドがユーザの皮膚上に配置されたとき、それぞれ異なる電極−皮膚インターフェース特性を有することになる。防汗ゲルタイプを利用するハイドロゲル電極パッドは、より高い電極−皮膚インターフェースインピーダンスが予測される。
【００６０】
本発明の１形態において、電極ゲルタイプに基づき、ＴＥＮＳ刺激器１０５の制御ユニット１７１は、異なるゲルタイプのインピーダンス差を補償するようにＴＥＮＳ刺激器１０５の刺激パラメータをセットするように構成されている。
【００６１】
刺激パラメータ調整に加えて、ＴＥＮＳ刺激器１０５は、使用パラメータを適応予測するように構成されている。本発明の望ましい１形態において、標準ゲルタイプ電極の使用履歴に基づき、残バッテリ容量（利用可能な治療セッション回数の観点）を計算してユーザに対し報告する。防汗ゲル付きの電極を有するスマート電極部品が検出された場合、防汗ゲルの高いインピーダンスに起因して、バッテリ容量（利用可能な治療セッションの回数で表される）は、新ゲルタイプの実際の使用履歴を蓄積することなく、より小さい値へ適応的に調整することができる。
【００６２】
電極タイプのその他の側面は、ハイドロゲル電極パッドのサイズである。同じ刺激電流強度を仮定すると、電極−皮膚接触面積が小さければ、電流密度（電流強度を接触面積で除算することにより定義される）が大きいので、刺激の感覚はより強い。ある電極サイズを有するスマート電極部品においてある刺激強度レベルまで較正したＴＥＮＳ刺激器をユーザが所有している場合、より小さい電極サイズのスマート電極部品１２０へ後に交換すると、ＴＥＮＳ刺激器１０５の制御ユニット１７１は、刺激強度を自動的に減少させて、強すぎる刺激密度に起因する（すなわち、新たなスマート電極部品の電極が小さくなり、電極−皮膚接触面積が減少することに起因する）不快感をユーザに対して生じさせないように構成される。小サイズハイドロゲル電極パッドを有するスマート電極部品から大サイズハイドロゲルパッドのものへ、ユーザが電極タイプを交換したとき、同様の調整をして同じ刺激感覚を維持することができる。
【００６３】
電極タイプの別側面は、電極分類である。例えば国や地域が異なれば、電極に対する要求が異なる場合がある。それらの要求は、機能的なものではなくラベル付けである場合がある。同じＴＥＮＳ刺激器を複数の地域へ配布しつつ、規制要件に適合することができる。ＴＥＮＳ刺激器１０５が電極の特定分類に「ロックオン」（すなわち正確に機能するように調整する）できるようにするため、スマート電極部品の単一の分類とのみ動作するようにＴＥＮＳ刺激器を構成することができる。ＴＥＮＳ刺激器がサポートする分類の電極部品に対してＴＥＮＳ刺激器１０５が接続されたとき、ＴＥＮＳ刺激器に接続されたスマート電極部品の特定分類までサポート分類タイプを自動的に減少させるように、ＴＥＮＳ刺激器を構成することができる。異なる分類の電極部品は、ＴＥＮＳ刺激器が電極部品を介して電気刺激を供給できないようにする。また、ＴＥＮＳ刺激器の補助機能（例えば活動トラッキングや睡眠モニタリング）も、最初に接続された電極部品の分類タイプとは異なる分類タイプの電極部品に対して接続されたとき、無効化することができる。
【００６４】
＜電極使用トラッキング＞
本発明の望ましい１形態において、スマート電極部品１２０の電極は、ハイドロゲルベース材料で作成することが望ましい。ハイドロゲルベース材料を利用する電極の接着特性と導電特性は、使用回数と時間によって劣化する。したがって、使用時間と間隔に基づきスマート電極部品１２０を交換することが望ましい。使用時間は、スマート電極部品１２０がユーザの皮膚と接触している蓄積時間である。使用間隔は、現在時刻と、スマート電極部品の最初の使用時刻との間の経過時間である。
【００６５】
従来技術において、交換スケジュールを固定使用間隔としてユーザに対して通知する場合がある。例えばＴＥＮＳ電極を２週間ごとの使用間隔で交換する、などである。このような固定使用間隔推奨は一般に、通常ユーザ状態の下における通常の毎日の使用期間に基づいている。これは、電極品質が通常使用状態よりも速く劣化するユーザにとっては、準最適治療結果をもたらす可能性がある。同様に固定交換スケジュールは、電極を必要以上に早く交換する可能性がある。
【００６６】
したがって、本発明の望ましい１形態において、スマート電極部品１２０は、デジタル記憶ユニット１４３（デジタルユニット１４０内）を用いて、総使用時間を格納する。格納時間は、製造した新たなスマート電極部品についてはゼロに初期化される。スマート電極部品が後にＴＥＮＳ刺激器１０５と接続されて「皮膚上」に配置されたとき、ＴＥＮＳ刺激器１０５の制御ユニット１７１は、そのスマート電極部品の使用時間をトラッキング開始する。ＴＥＮＳ刺激器１０５は、蓄積皮膚上時間によって、スマート電極部品１２０のデジタル記憶ユニット１４３を更新する。この更新は、規定時間間隔で実施することが望ましい。望ましい１実施形態において、更新間隔は１分である。
【００６７】
６０分の治療セッションにおいて、スマート電極部品の総使用時間は、６０分ずつ増える。オプションとして、治療セッションの時間長は、スマート電極部品を通過する刺激電流強度に比例する係数によって変更される。変更した時間長は、総使用時間に加算される。また電気刺激がアクティブでない皮膚上時間も、別の（例：より小さい）変更係数で総使用時間に加算することができる。本発明の別形態において、デジタルユニット１４０は、スマート電極部品１２０が皮膚上にある時間をトラッキングする電子部品を備え、これによりスマート電極部品の総使用時間を、ＴＥＮＳ刺激器１０５に対して接続するか否かによらず正確にトラッキングする。
【００６８】
本発明の望ましい形態において、２つの閾値を総使用時間に対してセットする。１つの閾値を用いて、スマート電極部品を交換するリマインダ（Ｔｈｒｅｓｈｏｌｄ４Ｒｅｍｉｎｄｅｒ１）を起動し、もう１つの閾値（Ｔｈｒｅｓｈｏｌｄ４Ｕｎｕｓａｂｌｅ１）を用いて、スマート電極部品が使用不能であることをマークする。総使用時間がＴｈｒｅｓｈｏｌｄ４Ｒｅｍｉｎｄｅｒ１閾値を超えると、ＴＥＮＳ刺激器１０５はユーザフィードバックを起動して、ユーザに対してスマート電極部品交換をリマインドするように構成される。閾値は、同じデジタル記憶ユニット１４３に対して、異なる場所でスマート電極部品に対してセットおよび格納することができる。閾値はＴＥＮＳ刺激器１０５のユーザによってセットし、またはＴＥＮＳ刺激器に接続したデバイス（例：ハンドヘルド電子デバイス８６０）上のＡＰＰを介してセットできる。本発明の望ましい１形態において、ユーザに対するフィードバックは、通常治療パルスのパターンとは異なるパターンを有する電気パルスシーケンスの形態である。本発明の別形態において、ユーザフィードバックは機械振動を含む。本発明の別形態において、ユーザフィードバックは、ＡＰＰを介して、ＴＥＮＳ刺激器に接続されたデバイス（例：ハンドヘルド電子デバイス８６０）上で視覚または音声リマインダを提示する。
【００６９】
総使用時間がＴｈｒｅｓｈｏｌｄ４Ｕｎｕｓａｂｌｅ１を超えると、ＴＥＮＳ刺激器１０５は、デジタル記憶ユニット１４３上に格納されている状態値を更新する。状態が「使用不能」に更新されると、そのスマート電極部品を介した電気刺激はＴＥＮＳ刺激器１０５によってそれ以上供給されない。本発明の望ましい１形態において、閾値Ｔｈｒｅｓｈｏｌｄ４Ｕｎｕｓａｂｌｅ１は、Ｔｈｒｅｓｈｏｌｄ４Ｒｅｍｉｎｄｅｒ１よりも２０時間長く、Ｔｈｒｅｓｈｏｌｄ４Ｒｅｍｉｎｄｅｒ１は２００時間である。
【００７０】
本発明の望ましい１形態において、各スマート電極部品１２０の使用間隔は、使用時間と同様にトラッキングされる。ＴＥＮＳ刺激器１０５と最初に接続すると、スマート電極部品１２０の初回使用の「日付スタンプ」（またはこれと等価なもの）が、そのスマート電極部品に組み込まれたデジタル記憶ユニット１４３に格納される。総使用間隔は、現在の「日付スタンプ」と初回使用「日付スタンプ」に基づき更新される。総使用間隔は、スマート電極部品のデジタルユニット１４０に格納されているアラート閾値（Ｔｈｒｅｓｈｏｌｄ４Ｒｅｍｉｎｄｅｒ２）と比較される。総使用間隔がアラート閾値よりも大きい場合、電極交換のアラートがユーザに対して発信される。総使用間隔が最大使用間隔閾値よりも大きい場合、ＴＥＮＳ刺激器１０５はそのスマート電極部品を使用不能としてマークする。
【００７１】
本発明の望ましい１形態において、スマート電極部品交換のアラート（使用期間または使用間隔によってトリガされる）は、サプライヤに対して特定タイプおよび分類のスマート電極部品の注文を自動生成する。
【００７２】
使用情報をＴＥＮＳ刺激器１０５上に格納することに代えて、スマート電極部品自身に使用情報を格納することは、利点がある。ユーザが２つのＴＥＮＳ刺激器を有し、これらを交換しながら用いる場合（例：デバイスＡの交換中、デバイスＢをＴＥＮＳ治療のために用いる）、各刺激器は電極使用履歴の一部を「見る」のみである。スマート電極部品自身に使用情報を格納することにより、各刺激器が不完全な使用履歴を見ることを克服できる。
【００７３】
＜水分状態トラッキング＞
本発明の望ましい１形態において、水分センサ（検出ユニット１３０が備える）は、スマート電極部品１２０が皮膚と接している位置において、ユーザの皮膚乾燥度をモニタリングする。乾燥肌は通常肌よりも速く、ハイドロゲル電極パッドの水分を枯渇させる。ハイドロゲル電極パッドの水分が損なわれると、ゲルパッドは導電性が減少し、したがってスマート電極部品をより頻繁に交換する必要が生じる。ＴＥＮＳ刺激器１０５は、肌乾燥度をモニタリングした結果を用いて、電極交換をユーザに促す（例：ハンドヘルド電子デバイス８６０を介して）１以上の値を変更する。この値は以下を含む：使用期間リマインダ閾値（Ｔｈｒｅｓｈｏｌｄ４Ｒｅｍｉｎｄｅｒ１）、使用期間使用不能閾値（Ｔｈｒｅｓｈｏｌｄ４Ｕｎｕｓａｂｌｅ１）、使用間隔閾値（Ｔｈｒｅｓｈｏｌｄ４Ｒｅｍｉｎｄｅｒ２）、使用間隔閾値（Ｔｈｒｅｓｈｏｌｄ４Ｕｎｕｓａｂｌｅ２）。
【００７４】
スマート電極部品１２０がユーザの皮膚上に配置されていないとき、そのハイドロゲル電極パッドは格納環境の要素に対して露出する。本発明の望ましい１形態において、水分センサ（検出ユニット１３０が備える）は、スマート電極部品が格納されている環境の湿度をモニタリングする。ＴＥＮＳ刺激器１０５の制御ユニット１７１は、モニタした周辺状態を用いて、スマート電極部品１２０のデジタル記憶ユニット１４１が格納している１以上の値を変更する。この値は、使用間隔閾値（Ｔｈｒｅｓｈｏｌｄ４Ｒｅｍｉｎｄｅｒ２）と使用間隔閾値（Ｔｈｒｅｓｈｏｌｄ４Ｕｎｕｓａｂｌｅ２）を含む。本発明の別形態において、モニタした周辺湿度状態が電極状態に対して悪影響を及ぼすと予測されるとき、ユーザに対して（例：ハンドヘルド電子デバイス８６０を介して）フィードバックを提供して、スマート電極部品をより制御された環境へ格納するように推奨する。この制御された環境の例としては、ハイドロゲル電極パッドからの過剰な水分損失を防ぐ気密バッグが挙げられる。
【００７５】
＜肌温度トラッキング＞
肌温度変化は、ＴＥＮＳ刺激に関するいくつかの生理的変化と相関している。これらは以下を含む：電気刺激の結果として局所的血流が増加したことに起因する温度変化；入眠にともなう温度変化；様々な睡眠ステージにおける温度変動。臨床研究は、下肢を温めることにより睡眠が改善する利点を報告している。スマート電極部品１２０の検出ユニット１３０内の皮膚接触温度センサは、上記生理的変化に関する肌温度のわずかな変化を検出するために必要な正確な肌温度測定結果を提供することができる。
【００７６】
電気刺激は局所的血流を増やすことが知られている。本発明の望ましい１形態において、スマート電極部品１２０の検出ユニット１３０内の温度センサは、肌温度をモニタリングする。ＴＥＮＳ刺激器１０５の制御ユニット１７１は、モニタした肌温度結果を用いて、電気刺激の効果を判定する。本発明の望ましい１形態において、刺激時またはその直前の肌温度を測定する（Ｔ１）。固定期間のＴＥＮＳ刺激の後（例：１０分後）、肌温度を再測定する（Ｔ２）。温度変化（ｄＴ＝Ｔ２−Ｔ１）がターゲット範囲内に収まる場合（例：摂氏０．２５〜０．７５度）、ＴＥＮＳ刺激は有効とみなされる。温度変化ｄＴがゼロに近い場合、ＴＥＮＳ刺激はターゲット強度未満とみなされ、制御ユニット１７１はユーザに対して（例：ハンドヘルド電子デバイス８６０を介して）ＴＥＮＳ刺激強度を増やすように促す。変化ｄＴが大きすぎる場合、刺激強度は大き過ぎる可能性があり、ＴＥＮＳ刺激器１０５の制御ユニット１７１はユーザに対して（例：ハンドヘルド電子デバイス８６０を介して）ＴＥＮＳ刺激強度を減らすように促す。
【００７７】
本発明の別形態において、温度変化（ｄＴ）に基づく刺激強度の調整は、ＴＥＮＳ刺激器１０５の制御ユニット１７１によって自動実施される。
【００７８】
本発明の望ましい１形態において、上記閾値は固定値である。
【００７９】
本発明の別形態において、上記閾値は、ベースライン（Ｔ１）における肌水分レベルと肌温度の関数である。
【００８０】
本発明の望ましい１形態において、温度変化を用いて、ＴＥＮＳ刺激強度が電気触覚閾値を超えているか否かを判定する。電気触覚閾値は、刺激を受けているユーザの電気触覚感覚を生じさせる最低刺激電流強度である。電気触覚閾値を用いて、強いけれども快適な最適ＴＥＮＳ刺激強度ＩＴをセットする。真の電気触覚閾値よりも高い閾値をユーザが誤って認識した場合、認識した閾値に基づく治療刺激強度は高すぎる値にセットされることになる。
【００８１】
本発明の望ましい１形態において、スマート電極部品を介してＴＥＮＳ刺激電流が身体に対して供給される前に、肌温度（Ｔｂ）を測定する。刺激電流をステップ状に増やすことにより、電気触覚感覚閾値をユーザが識別できるようにする。電気触覚感覚閾値をユーザが識別すると、ＴＥＮＳ刺激器１０５の制御ユニット１７１はその強度レベルで、ある期間にわたって（例：１０分）ユーザを刺激する。測定した肌温度Ｔｓが摂氏（Ｔｂ＋０．５）度よりも高ければ、ユーザが示した強度は真の電気触覚感覚閾値よりも高いとみなされる。ＴＥＮＳ刺激器１０５の制御ユニット１７１はユーザに対して（例：ハンドヘルド電子デバイス８６０を介して）、適正な電気触覚閾値を識別するプロセスを繰り返すように促す。
【００８２】
本発明の他形態において、測定した肌温度Ｔｓが摂氏（Ｔｂ＋０．５）度よりも高く、かつ電極−皮膚接触エリア下の筋収縮がＴＥＮＳ刺激器によって検出された場合（例：検出ユニット１３０の加速度計を介して、またはＴＥＮＳ刺激器１０５が備える加速度計を介して）、識別した閾値は真の電気触覚閾値レベルよりも高いとみなされる。
【００８３】
肌温度は日中に変動することが知られている。神経活性化閾値（したがってこれに加えておよび電気触覚閾値）は、温度依存であることが知られている。肌温度が高いとき活性化閾値は低い。したがって、ある肌温度状態の下で最適化したＴＥＮＳ刺激強度は、肌温度が変化すれば調整する必要がある。本発明の望ましい１形態において、ＴＥＮＳ刺激器１０５の制御ユニット１７１は、スマート電極部品１２０の検出ユニット１３０がモニタリングする肌温度Ｔｃを用いて、別の温度状態Ｔ０において決定した刺激強度Ｉ０を調整する。現在の肌温度Ｔｃが元の温度Ｔ０よりも高ければ、ＴＥＮＳ刺激器１０５の制御ユニット１７１は、負オフセットによって刺激強度Ｉ０を調整する。同様に現在の肌温度Ｔｃが元の温度Ｔ０よりも低ければ、ＴＥＮＳ刺激器１０５の制御ユニット１７１は刺激強度Ｉ０を正オフセットにより調整する。
【００８４】
慢性疼痛は睡眠に対して干渉し、睡眠が悪いと痛みも悪化する。近年の技術的進歩が、睡眠中にＴＥＮＳデバイスを用いることを妨げる安全問題を克服することにより、慢性疼痛を有するユーザは、睡眠中にＴＥＮＳデバイスを用いることが可能となった。スマート電極部品１２０の検出ユニット１３０が備える温度センサは、ユーザが夜間眠っているとき肌温度パターンをモニタリングできる。
【００８５】
本発明の望ましい１形態において、睡眠中に肌温度をモニタリングする。組み込み加速度計を備えるＴＥＮＳ刺激器は、身体の向きと移動を検出して、ベッドへ向かう；眠りにつく；起床する；などのイベントのタイミングを判定できる。研究によれば、個別の入眠遅れ（ベッドに向かってから入眠するまでの時間）は温度操作によって改善できるが（例：ベッドに向かう前に足湯などで足温度を上げる）、温度操作量と入眠遅れ改善は個人差がある。肌温度の継続的モニタリングと目標入眠遅れ測定結果により、各ユーザについて、入眠遅れと肌温度との間の関係を特定することができる（すなわち、ターゲット肌温度範囲を特定して睡眠を改善できる）。測定した肌温度がターゲット範囲外であるとき、ユーザが最初にベッドへ入るとユーザに対してプロンプトを出す（例：ハンドヘルド電子デバイス８６０を介して）。
【００８６】
人は入眠後、睡眠サイクルのそれぞれ異なる睡眠ステージに向かう：ノンＲＥＭ（高速眼移動）ステージ１（ＮＳ１）；ノンＲＥＭステージ２（ＮＳ２）；ノンＲＥＭステージ３（ＮＳ３）；ノンＲＥＭステージ２（ＮＳ２）；ノンＲＥＭステージ１（ＮＳ１）；ＲＥＭ睡眠（ＲＥＭＳ）。ＲＥＭＳ後、ＮＳ１に戻り、その他の睡眠サイクルを繰り返す。ノンＲＥＭ睡眠ステージ中、身体温度は通常よりも低い。身体温度はＲＥＭＳステージ中において最も低い。ＮＳ３からＮＳ２への遷移において、通常は一連の身体移動が生じる。アクティグラフベース睡眠モニタリングは、この遷移を判定できる。ただし他の睡眠ステージにおいて身体移動がないと、アクティグラフベース睡眠モニタリングはこれらの睡眠ステージを識別できない。身体移動は、睡眠が浅いことあるいはユーザが起床しそうになっているときにも生じるからである。肌温度測定をアクティグラフベース睡眠モニタリングに組み込むことにより、睡眠モニタリング精度が向上する。
【００８７】
したがって、本発明の望ましい１形態において、ＴＥＮＳ刺激器１０５が備える睡眠判定ユニット１７３に組み込んだ睡眠分類アルゴリズムのなかで、温度センサ測定結果（検出ユニット１３０からのもの）を用いる。睡眠判定ユニット１７３は、ユーザの睡眠状態を判定し、ユーザの睡眠状態に基づきユーザに対してＴＥＮＳ治療を変更することができる、任意の部品である。例えば、睡眠判定ユニット１７３は以下に開示されている種類のものとすることができるが、これに限らない：米国特許出願１４／２５３，６２８、２０１４年４月１５日出願、出願人Ｎｅｕｒｏｍｅｔｒｉｘ  Ｉｎｃ．およびＳｈａｉ  Ｇｏｚａｎｉ等、発明の名称TRANSCUTANEOUS ELECTRICAL NERVE STIMULATOR WITH AUTOMATIC DETECTION OF USER SLEEP-WAKE STATE（代理人整理番号ＮＥＵＲＯ−６５）。同特許出願は参照により本願に組み込まれる。この特許出願は、ユーザの身体移動に基づきユーザの睡眠状態を判定すること、およびユーザの睡眠状態に基づきユーザに対して供与するＴＥＮＳ治療を変更することを開示している。上記睡眠判定ユニット１７３に組み込んだアクティグラフベース睡眠アルゴリズムが入眠を検出した後、ユーザはＮＳ１に入り、ユーザの肌温度は減少すると予測される。身体温度が低く維持されまたは下がる傾向にある場合、身体移動は、起床や慢性疼痛不快感による移動の前兆ではなく、ＮＳ３からＲＥＭＳへの遷移と解釈される。温度トラッキングにより、アクティグラフベース睡眠分類アルゴリズムの性能を向上させ、睡眠期間中における睡眠ステージを識別できる。
【００８８】
したがって、身体移動に基づき睡眠中のＴＥＮＳ治療を制御する従来の装置および方法（例えば上記米国特許出願１４／２５３，６２８）は、スマート電極部品１２０から得られる温度情報を用いることによって拡張することができる。
【００８９】
本発明の望ましい１形態において、足移動と身体温度の下降傾向が結びついている場合、ＴＥＮＳ刺激器１０５の制御ユニット１７１は、ＴＥＮＳ治療刺激を開始しない。足移動が身体温度下降傾向と結びついていない場合、ＴＥＮＳ刺激器１０５の制御ユニット１７１は、従前のスケジュールに基づきＴＥＮＳ治療刺激を進行させる。
【００９０】
本発明の別形態において、ＴＥＮＳ刺激器１０５に組み込んだ温度センサが取得する周辺温度を用いて、睡眠品質を判定し、ＴＥＮＳ刺激を制御する。温度環境は、人の睡眠に対して影響する最も重要な要因の１つである（Okamoto-Mizuno et al，Effects of thermal environment on sleep and circadian rhythm，Journal of Physiological Anthropology，31:14，2012）。例えばやや寒い周辺温度は徐波睡眠（ＮＳ３睡眠）を増やす。アクティグラフによって判定した睡眠品質と温度環境との間の関係はユーザごとに判定することができ、より良い睡眠品質に関連する熱環境状態をユーザに対して通知して睡眠品質を改善できる。
【００９１】
本発明の他形態において、肌温度（スマート電極部品１２０の検出ユニット１３０の温度センサが取得したもの）と、ＴＥＮＳ刺激器１０５に組み込んだ別の温度センサが判定した周辺温度との組み合わせを用いて、睡眠品質を判定する。睡眠品質判定結果を用いて、制御ユニット１７１を介してＴＥＮＳ刺激器１０５の動作を変更する。肌温度変化は睡眠ステージと関連していると見られ、周辺温度状態の意味における肌温度変化は、睡眠ステージおよびステージ間遷移をより具体的に示すことができる。例えば安定した周辺温度状態における肌温度の低下は、周辺温度が下降しているときの同じ肌温度低下よりも正確に、ＮＳ３からＲＥＭＳへの遷移を予測する。
【００９２】
ＴＥＮＳ電極を格納している周辺温度のモニタリングは、スマート電極部品の品質劣化予測についての情報を提供できる。極端な温度（寒すぎるまたは熱すぎる）は、スマート電極部品のハイドロゲル電極パッドの導電特性を損なわせる可能性がある。したがって本発明の望ましい１形態において、電極部品１２０が格納されているとき（すなわち皮膚上にないとき）、スマート電極部品１２０の検出ユニット１３０の温度センサは、環境温度をトラッキングする。スマート電極部品１２０がＴＥＮＳ刺激器１０５に対して接続された後、ＴＥＮＳ刺激器１０５の制御ユニット１７１は、温度履歴を読み取って処理する。極端な格納温度が検出されたとき、スマート電極部品の予測される残使用時間を変更して、スマート電極部品のハイドロゲル電極パッドに対する周辺温度の悪影響を反映する。本発明の別形態において、ユーザに対してフィードバックを提供して（例：ハンドヘルド電子デバイス８６０）、より制御された環境（例えば屋内生活空間）へスマート電極部品を格納するように推奨する。
【００９３】
＜ガルバニック皮膚反応センサ＞
ガルバニック皮膚反応センサは、スマート電極部品１２０の検出ユニット１３０の一部として提供され、ユーザの肌コンダクタンスレベルまたは皮膚電気活動（ＥＤＡ）を測定する。ＥＤＡパターンは、睡眠ステージと相関していることが分かっている。具体的には、ＥＤＡの高頻度活動がＮＳ２とＮＳ３睡眠ステージにおいて生じる（Sano et al, Quantitative analysis of wrist electrodermal activity during sleep, Int J. Psychophysiol. 94(3): 382-389, 2014）。
【００９４】
本発明の望ましい１形態において、睡眠判定ユニット１７３の一部として、睡眠分類アルゴリズム内でガルバニック皮膚反応センサ測定結果（検出ユニット１３０内のガルバニック皮膚反応センサからのもの）を用いて、睡眠ステージを判定する。ＴＥＮＳ刺激器１０５の制御ユニット１７１は、精緻化した睡眠ステージ判定結果を用いて、ＴＥＮＳ刺激器１０５の刺激ユニット１７２の動作を制御する。
【００９５】
本発明の望ましい別形態において、加速度計、温度、化学物質、およびガルバニック皮膚反応センサに基づく判定結果を組み合わせて、睡眠ステージ判定結果を改善する。
【００９６】
＜電極品質トラッキング＞
スマート電極部品１２０の特性（特にインピーダンスと使用期間）をスマート電極部品に格納して分析し、交換が必要となる前に、スマート電極部品の寿命を予測することができる。
【００９７】
本発明の望ましい１形態において、電極履歴を品質指標Ｑとして要約することができる。スマート電極部品の特性は、ＴＥＮＳ刺激器１０５の制御ユニット１７１が新たに測定するごとに、スマート電極部品１２０上のデジタル記憶ユニット１４２内に更新および格納される。測定結果の特性属性としては以下が挙げられる：初回使用インピーダンス（電極が皮膚上に初めて配置されたとき測定したインピーダンス）；インピーダンス履歴（各ＴＥＮＳ治療セッション中に測定したインピーダンス）；インピーダンス測定時において用いる刺激電流強度；測定のタイムスタンプ。最初の５セットのインピーダンス値の平均は、ベースラインインピーダンス（ＩＭＰＢ）として計算される。直近５セットのインピーダンス値を平均して現在のインピーダンス（ＩＭＰＣ）を取得する。電極アレイ品質指標は、電極アレイ状態を定量化する。本発明の望ましい１形態において、品質指標Ｑは１００（最良）から０（最悪）まで変化し、１００×ｅｘｐ（−ＩＭＰＣ／ＩＭＰＢ＋１)として定義される。
【００９８】
ＴＥＮＳ刺激器１０５の制御ユニット１７１は、品質指標Ｑを用いて、元のターゲット刺激強度レベルＩＴに対してオフセットを加えることにより、刺激強度を変更する。本発明の望ましい１形態において、オフセットは（Ｑ／１００−１）ｄＢにセットされる。このオフセットの結果として、電極品質が劣化したとき、より低い刺激強度レベルを用いる。品質指標Ｑが低いことは、スマート電極部品のハイドロゲル電極パッドの導電特性と接着特性が低いことを示している（接着特性が低いことは、有効な電極−皮膚接触面積が、新規スマート電極部品のものよりも小さいことを意味する）。同じ刺激電流強度を用いる場合、より高い電流密度（電流強度を電極−皮膚接触面積で除算したもの）が電極−皮膚インターフェースを通過し、ＴＥＮＳユーザにとって不快感を生じさせる可能性がある。ＴＥＮＳ刺激器は品質指標Ｑを用いて、スマート電極部品が格納している１以上の値を変更して、電極部品の寿命を予測することもできる。この値は、スマート電極部品の残使用時間と残総使用期間を含む。本発明の１形態において、総使用日１０日後に品質指標Ｑが８０以上である場合、閾値を上方調整する。本発明の別形態において、総使用日１０日以内で品質指標Ｑが５０以下である場合、閾値を下方調整する。
【００９９】
本発明の望ましい１形態において、スマート電極部品に格納している情報は、Ｂｌｕｅｔｏｏｔｈ(登録商標)リンクや無線リンクなどの通信リンクを介して、永続記憶のために中央データベースに対して送信される（直接またはＴＥＮＳ刺激器１０５を介して）。ユーザが電極アレイを新規注文したとき、この情報を用いて、ユーザの電極アレイ使用特性と履歴に基づき、ユーザにとってより適切な電極アレイタイプを識別することができる。例として、夏期は汗をかきやすいユーザ（スマート電極部品１２０の検出ユニット１３０の水分センサと温度センサにより測定する）は、水分子の吸収性がより小さい導電ゲルのハイドロゲル電極パッドを備える電極部品を提案される。
【０１００】
＜電極再注文の推奨システム＞
本発明の望ましい１形態において、同じユーザが使用する複数のスマート電極部品から収集した情報を、Ｂｌｕｅｔｏｏｔｈリンクや無線リンクなどの通信リンクを介して、永続記憶のため中央データベースに対して送信する。この情報を用いて、ユーザの電極使用特性と履歴に基づき、ユーザにとってより適切な電極部品タイプを識別できる。ユーザが電極の新規注文をリクエストしたとき、ユーザへ推奨することができる。例として、夏期は汗をかきやすいユーザ（スマート電極部品１２０の検出ユニット１３０の水分センサにより測定する）は、水分子の吸収性がより小さい導電ゲルのハイドロゲル電極パッドを備える電極部品を提案される。
【０１０１】
＜望ましい実施形態の変形例＞
本発明の性質を説明するために記載および図示した詳細部分、材料、ステップ、部品配置は、本発明の原則と範囲のなかで当業者が変更できることを理解されたい。
【図１】
2020503105.tif 000003
【図２】
2020503105.tif 000004
【図３】
2020503105.tif 000005
【図４】
2020503105.tif 000006
【図５】
2020503105.tif 000007
【図６】
2020503105.tif 000008
【図７】
2020503105.tif 000009
【国際調査報告】
2020503105.tif 000010